(57)【要約】【課題】シートを容易に運搬でき、かつシートの取り扱い性に優れたシート用運搬用具、及び該シート用運搬用具にシートを収納したシート運搬品を目的とする。【解決手段】シートを収納する収納本体１０と、収納本体１０に設けられた肩掛けベルト１２とを具備し、収納本体１０は、背面部１４、及び、背面部１４の幅方向の両端からそれぞれ内側に向かって開口を形成するように背面部１４に設けられた幅規制部１６を有しており、幅規制部１６の長さ方向の端部は背面部１４と連結されており、幅規制部１６を内包するように収納本体１０を長さ方向に半折りにした当該収納本体１０の背面部１４の一方の外側面を背負い面２０とし、背負い面２０に、折り返し部２２が上側になるように肩掛けベルト１２が設けられているシート用運搬用具１。また、シート用運搬用具１にシートを収納したシート運搬品。【選択図】図１
2010023892.tif 000002
【特許請求の範囲】
【請求項１】
シートを収納する収納本体と、該収納本体に設けられた肩掛けベルトとを具備するシートの運搬用具であって、
前記収納本体は、背面部、及び、該背面部の幅方向の両端からそれぞれ内側に向かって、開口を形成するように背面部に設けられた、収納本体の幅方向へのシートのずれを規制する幅規制部を有しており、
前記幅規制部の長さ方向の端部は前記背面部と連結されており、
前記幅規制部を内包するように前記収納本体を長さ方向に半折りにした当該収納本体の前記背面部の一方の外側面を背負い面とし、
該背負い面に、半折りした折り返し部が上側になるように前記肩掛けベルトが設けられていることを特徴とするシート用運搬用具。
【請求項２】
前記背負い面に、該背負い面の形状を維持する背板が設けられている、請求項１に記載のシート用運搬用具。
【請求項３】
前記収納本体に、半折りにした該収納本体の間に挟まれ、収納された前記シートの位置を規制する挟板が設けられている、請求項１又は２に記載のシート用運搬用具。
【請求項４】
長尺の帯状のシートを、その長手方向に沿ってガゼット折りした後、さらに長手方向に蛇腹状に折り畳んだ折畳シートが、該シートの長手方向が前記収納本体の幅方向に沿うように、請求項１〜３のいずれかに記載のシート用運搬用具に収納されているシート運搬品。
【請求項５】
前記シートが松くい虫燻蒸用のシートである、請求項４に記載のシート運搬品。
【発明の詳細な説明】
【技術分野】
【０００１】
本発明は、シート用運搬用具及びそれを用いたシート運搬品に関する。
【背景技術】
【０００２】
近年、松くい虫による松の集団枯死が全国的に広がっており、大きな被害をもたらしている。この松くい虫による松の枯死は、実際にはマツノザイセンチュウという線虫により引き起こされ、このマツノザイセンチュウがマツノマダラカミキリにより運ばれることで別の松へと次々に伝播していく。
【０００３】
このような松の集団枯死の被害を防ぐ方法としては、枯死した松を伐倒した後、それら伐倒材を松くい虫燻蒸シート（以下、「燻蒸シート」という。）で覆い、その場で薬剤により燻蒸し、それらの松に残っているマツノザイセンチュウやマツノダラカミキリの幼虫を駆除する方法が知られている（例えば特許文献１、２）。この松くい虫の燻蒸駆除に用いられる燻蒸シートとしては、薬剤の拡散を防ぐ高いガスバリア性を有するシートや、燻蒸駆除の後に撤去作業を必要としない生分解性のシート等が示されている（例えば、特許文献３〜５等）。
【０００４】
松くい虫の燻蒸駆除は、通常、大きなサイズ（例えば、幅４ｍ×長さ３０ｍ程度）の燻蒸シートを松の伐倒現場まで運び、該燻蒸シートを燻蒸駆除に必要な大きさごと（４ｍ程度の正方形）に切り取って伐倒材を覆った後、薬剤を注入することにより行なわれる。そのため、運搬の際の燻蒸シートは非常に大きく、従来は短手方向（幅２ｍ）に半折りしたものを紙管に巻き回した状態で肩に担いで運んでいた。
【特許文献１】特開２００１−２５３４７号公報
【特許文献２】特開２００３−２３９４７号公報
【特許文献３】特開２００５−１０３８７２号公報
【特許文献４】特開２００５−１５４４５６号公報
【特許文献５】特開２００６−２４６７８６号公報
【発明の開示】
【発明が解決しようとする課題】
【０００５】
しかし、このような方法では、紙管に巻き回した状態の燻蒸シートが１５ｋｇ程度と重いことから、運搬時及び燻蒸処理時における燻蒸シートの取り扱い性が悪かった。また、それらを積み上げることが困難であるため、保管が困難である上、保管スペースも大きくなっていた。
また、燻蒸シートの運搬方法としては、燻蒸シートを小さく折り畳んだものを紙袋等に収納して持ち運ぶことが考えられる。しかし、紙袋等に収納しただけでは運搬し難く、また燻蒸処理後に燻蒸シートの未使用の部分を折り畳んで再度梱包する作業は煩雑である。例えば、通常開梱する際には袋の口止めテープは雑に扱われるため、その口止めテープを再利用することは不可能である。
以上のような理由から、燻蒸シートを容易に運搬することができ、燻蒸処理時において煩雑な作業を必要としない燻蒸シートの運搬用具が望まれている。
【０００６】
そこで本発明は、燻蒸シート等のシートを容易に運搬することができ、かつシートの取り扱い性に優れたシート用運搬用具を目的とする。また、該シート用運搬用具にシートを収納したシート運搬品を提供する。
【課題を解決するための手段】
【０００７】
本発明の松くい虫燻蒸シート用運搬用具は、シートを収納する収納本体と、該収納本体に設けられた肩掛けベルトとを具備するシートの運搬用具であって、
前記収納本体は、背面部、及び、該背面部の幅方向の両端からそれぞれ内側に向かって、開口を形成するように背面部に設けられた、収納本体の幅方向へのシートのずれを規制する幅規制部を有しており、
前記幅規制部の長さ方向の端部は前記背面部と連結されており、
前記幅規制部を内包するように前記収納本体を長さ方向に半折りにした当該収納本体の前記背面部の一方の外側面を背負い面とし、
該背負い面に、半折りした折り返し部が上側になるように前記肩掛けベルトが設けられていることを特徴とする運搬用具である。
【０００８】
また、本発明の松くい虫燻蒸シート用運搬用具は、前記背負い面に、該背負い面の形状を維持する背板が設けられていることが好ましい。
また、前記収納本体に、半折りにした該収納本体の間に挟まれ、収納された前記シートの位置を規制する挟板が設けられていることが好ましい。
【０００９】
また、本発明のシート運搬品は、長尺の帯状のシートを、その長手方向に沿ってガゼット折りした後、さらに長手方向に蛇腹状に折り畳んだ折畳シートが、該シートの長手方向が前記収納本体の幅方向に沿うように、前記いずれかのシート用運搬用具に収納されている運搬品である。
また、本発明のシート運搬品は、前記シートが松くい虫燻蒸用のシートであることが好ましい。
【発明の効果】
【００１０】
本発明のシート用運搬用具は、燻蒸シート等のシートを容易に運搬することができ、かつ収納したシートの取り扱い性にも優れている。
また、本発明によれば、前記シート用運搬用具にシートを収納したシート運搬品を提供できる。
【発明を実施するための最良の形態】
【００１１】
本発明のシート用運搬用具は、シートを収納する収納本体と、該収納本体に設けられた肩掛けベルトとを具備する。以下、本発明のシート用運搬用具の実施形態の一例を詳細に説明する。
本実施形態のシート用運搬用具１は、図１及び２に示すように、シート１００を収納する収納本体１０と、収納本体１０に設けられた一対の肩掛けベルト１２とを具備している。
収納本体１０や肩掛けベルト１２の材質は、リュックサック等に通常用いられるものを使用することができ、例えば、ナイロン等が挙げられる。
【００１２】
収納本体１０は、図２に示すように、背面部１４と、背面部１４の幅方向の両側からそれぞれ内側に向かって開口１８を形成するように設けられた幅規制部１６とを有している。
幅規制部１６は、背面部１４の幅方向の両端１４ａ、１４ａからそれぞれ内側に向かって設けられており、その長さ方向の端部１６ａ、１６ｂは背面部１４と連結されている。また、背面部１４の両端１４ａ、１４ａから延びるそれぞれの幅規制部１６により、シート１００を出し入れする開口１８が形成されている。このように、背面部１４及び幅規制部１６によりシート１００を収納する収納空間が形成される。
【００１３】
また、シート用運搬用具１は、シート１００を収納した収納本体１０を半折りにした状態で運搬するものである。収納本体１０は、幅規制部１６を内包するように長さ方向に半折りされ、その半折りされた収納本体１０の背面部１４の一方の外側面が背負い面２０とされる（図１）。また、背負い面２０には、半折りにした収納本体１０の折り返し部２２が上側になるように一対の肩掛けベルト１２が設けられる。
【００１４】
背面部１４の形状は、正方形、矩形等が挙げられる。すなわち、背面部１４の長さａと幅ｂは同じ長さであってもよく、長さａが幅ｂより長くてもよく、幅ｂが長さａより長くてもよい。特に、大きなサイズのシート１００を折り畳んで収納して運搬する場合、背面部１４の形状は、運搬の容易性及びシート１００の出し入れ等の取り扱い性に優れる点から、長さａが幅ｂよりも長い矩形状であることが好ましい。
【００１５】
背面部１４の長さａは、運搬するシート１００の大きさによっても異なるが、５０〜１５０ｃｍであることが好ましい。背面部１４の長さａが５０ｃｍ以上であれば、より大きなサイズのシート１００を容易に運搬することができる。また、背面部１４の長さａが１５０ｃｍ以下であれば、シート１００の運搬が容易になり、かつシート１００の取り扱い性も向上する。
【００１６】
背面部１４の幅ｂについても、長さａと同様に運搬するシート１００の大きさによっても異なるが、４０〜８０ｃｍであることが好ましい。背面部１４の幅ｂが４０ｃｍ以上であれば、より大きなサイズのシート１００を容易に運搬することができる。また、背面部１４の幅ｂが８０ｃｍ以下であれば、シート１００の運搬が容易になり、かつシート１００の取り扱い性も向上する。
【００１７】
幅規制部１６は、収納したシート１００の、収納本体１０の幅方向へのずれを規制する役割を果たす。シート１００を収納したシート用運搬用具１を背負って運搬する際には、運搬中にシート用運搬用具１が上下左右に揺れるが、幅規制部１６により、収納本体１０に収納されているシート１００が収納本体１０の幅方向にずれることを抑制することができる。また、山等の斜面で作業を行なう場合に、シート用運搬用具１を収納本体１０の幅方向が斜面方向に沿うように置いたとしても、幅規制部１６により、収納本体１０に収納されているシート１００が斜面を滑り落ちて崩れることが防がれる。
また、幅規制部１６の長さ方向の端部１６ａ、１６ｂは背面部１４と連結されているため、収納されているシート１００が収納本体１０から出てしまうことが防止される。
【００１８】
幅規制部１６の幅ｃ１、ｃ２は、開口１８を形成し、かつシート１００を収納してその収納本体１０の幅方向へのずれを規制できる長さであればよい。また、各々の幅規制部１６の幅ｃ１、ｃ２は、開口１８の形成、及びシート１００の収納本体１０の幅方向へのずれの抑制が可能な範囲であれば、それぞれ異なる長さであってもよい。ただし、収納されたシート１００が収納本体１０の幅方向にずれることを抑制しやすい点、シート１００の出し入れが容易で取り扱い性が向上する点から、幅ｃ１及び幅ｃ２を同じ長さとして、収納本体１０の幅方向の中央に開口１８が形成されるようにすることが好ましい。
【００１９】
幅規制部１６の幅ｃ１（ｃ２についても同じ。）は、背面部１４の幅ｂとの比（ｃ１／ｂ）が０．１〜０．４５となるようにすることが好ましい。前記比（ｃ１／ｂ）が０．１以上であれば、シート１００をしっかりと収納してその収納本体１０の幅方向へのずれを抑制することが容易になる。また、前記比（ｃ１／ｂ）が０．４５以下であれば、開口１８の幅ｄ（背面部１４の幅ｂから幅規制部１６の幅ｃ１及びｃ２の合計を差し引いた長さ）を十分に大きくすることができ、シート１００の出し入れ等の取り扱い性がより向上する。
【００２０】
また、各々の幅規制部１６の長さ方向の端部１６ｂは、それらが互いに連結されていることが好ましい。これにより、収納本体１０へのシート１００の収納が安定になり、また運搬時やシート１００の出し入れ時に土等が収納本体１０内に入ってシート１００が汚れることを抑制しやすい。また、各々の幅規制部１６の端部１６ａについても、端部１６ｂと同様に連結されていることが好ましい。
【００２１】
また、前述の収納の安定性の向上、土等によるシート１００の汚れの防止の観点から、開口１８の長さ方向の端部１６ｂ側には、開口縁部１８ａが設けられていてもよい。開口縁部１８ａは、前述の効果が得られ、かつ開口１８からのシート１００の出し入れ等の取り扱い性を悪化させすぎないように設けることが好ましい。
また、開口１８の長さ方向の端部１６ａ側についても、同様の開口端部が設けられていてもよい。ただし、挟板２４を設けている場合には、該挟板２４により、土等でシート１００が汚れることを防止する効果を得ることができる。
【００２２】
本実施形態のシート用運搬用具１における背負い面２０は、幅規制部１６を内包するように長さ方向に半折りされた収納本体１０における背面部１４の一方の外側面である。すなわち、背負い面２０は、背面部１４の外側面であって、それを長さ方向に二等分した領域のうちの一方の面である。シート用運搬用具は、背面部１４の外側面の二等分された領域のうち、どちらが背負い面となっても構わない。
【００２３】
背負い面２０には、その背負い面２０の形状を維持する背板２０ａが設けられていることが好ましい（図１）。これにより、運搬時の収納本体１０の形状、すなわち収納されているシート１００の形状が一定に保たれやすく、大きなサイズのシート１００であっても収納されている該シート１００の形状を崩さずに運搬することが容易になる。収納されているシート１００が運搬により型崩れしなければ、その後シート１００をシート用運搬用具１から取り出す際に作業がスムーズに行なえる。
【００２４】
背負い面２０に設ける背板２０ａは、背負い面２０に内装されていてもよく、背負い面２０上に直接設けられていてもよいが、背負い面２０に内装されていることが好ましい。
また、背板２０ａの形状は、背負い面２０の形状を維持できるものであれば特に限定されず、背負い面２０と同形状の１枚の板片であってもよく、複数の骨格を組み合わせてなるものであってもよい。
【００２５】
収納本体１０の背負い面２０には、半折りした収納本体１０の折り返し部２２が背負ったときに上側になるように、シート用運搬用具１を背負うための肩掛けベルト１２が設けられている。
肩掛けベルト１２の形態は、収納本体１０を背負えるものであれば特に限定されず、リュックサック等に通常用いられる肩掛けベルトを用いることができる。
また、本実施形態例のシート用運搬用具１は、両肩用に一対の肩掛けベルト１２が設けられているがこれには限定されず、片肩用に肩掛けベルト１２が一つのみ設けられたものであってもよい。
【００２６】
また、本発明のシート用運搬用具は、半折りにした収納本体１０の間に挟むことによって、収納本体１０に収納されたシート１００の位置を規制する挟板２４が設けられていることが好ましい。
本実施形態では、挟板２４は、収納本体１０の背負い面２０側の長さ方向の端部に形成されており、半折りにした収納本体１０に挟んだときにその一端２４ａが収納本体１０の折り返し部２２に接触する（図１）。
【００２７】
挟板２４を設けていない場合、運搬の際に、収納されているシート１００の折り返し部２２近傍にある部分が重力や運搬による振動等により収納本体１０内で若干下がり、このとき該シート１００が半折りされている収納本体１０内でどちらか一方に偏ると、運搬による振動によりその偏りがより激しくなっていくことで、収納本体１０内でのシート１００の形状が崩れてしまうおそれがある。しかし、挟板２４を用いることにより、収納本体１０に収納されたシート１００が折り返し部２２の部分で挟板２４の一端２４ａに掛けられた状態になって支えられる。そのため、大きな振動が加えられた場合であっても、シート１００の折り返し部２２近傍の部分が下がって、半折りされた収納本体１０内で偏りを生じることを抑制することができる。
【００２８】
また、背負い面２０に前記背板２０ａが設けられている場合には、その背板２０ａと挟板２４により、収納本体１０の背負い面２０側にあるシート１００を挟み込むことができるため、収納本体１０内でシート１００をより安定に固定することができる。そのため、運搬によるシート１００の型崩れを抑制する効果がさらに高くなる。
【００２９】
また、収納本体１０には、図１及び２に示すように、背面部１４の折り返し部２２の外側面から延びるカバー２６が設けられていることが好ましい。カバー２６は、運搬時に背面部１４の背負い面２０と逆側の面２８上に垂らすことにより、接触等による収納本体１０の損傷を抑制することができる。
また、シート１００をシート用運搬用具１に出し入れする際には、カバー２６を背負い面２０の下に敷いた状態で収納本体１０を開くことにより、背負い面２０及び肩掛けベルト１２が土等で汚れることを防ぐことができる（図４）。
【００３０】
また、収納本体１０には、半折りした収納本体１０を固定するベルト固定具３０が設けられていることが好ましい。これにより、半折りした収納本体１０をより安定に固定することができ、運搬中にシート１００が型崩れすることを抑制しやすくなる。
ベルト固定具３０は、特に限定されないが、土等の付着による固定性能の低下を防ぐ点から、ファスナーやマジックテープ（登録商標）よりも、図５に示すような、雄部３０ａと雌部３０ｂとを装着することにより固定する簡便な固定具であることが好ましい。
ベルト固定具３０の数は特に限定されないが、装着の際の混乱及び煩雑な作業を避ける点から、収納本体１０を半折りにした状態で安定に固定できる範囲内でできるだけ少なくすることが好ましい。
【００３１】
本発明のシート運搬品は、前述のシート用運搬用具にシートが収納されたものである。以下、シート運搬品の実施形態の一例として、前記シート用運搬用具１にシート１００が収納されたシート運搬品について説明する。
シート用運搬用具１により運搬するシート１００の種類は特に限定されないが、シート用運搬用具１は、特に、松くい虫の燻蒸の際に伐倒現場まで運搬する燻蒸シート等のような大きなサイズの帯状のシート（例えば幅４ｍ×長さ３０ｍ程度のシート）の運搬に適している。このような帯状のシート１００を折り畳んだものを収納本体１０に収納し、半折りした状態で運搬することにより、収納されているシート１００を型崩れさせずに容易に運搬することができる。以下、長尺の帯状のシート１００のシート用運搬用具１への収納について説明する。
【００３２】
長尺で帯状のシート１００は、図２に示すように、まず、その長手方向に沿ってガゼット折りにし、さらにそれを長手方向に蛇腹状に折り畳む（以下、折り畳まれたシート１００を特に「折畳シート１００」という。）。ここで、前記ガゼット折りでは、シート１００の短手方向の両方の端縁１０１が、シート１００を短手方向に二等分する中央部分１０２に向かってそれぞれ折り返されて揃えられ、かつ前記両方の端縁１０１と前記中央部分１０２の中間に位置する中間部分１０３（折り返されて形成された山折部分）が内部側に折り返されて前記中央部分１０２で揃えられる。
【００３３】
このように折り畳まれた折畳シート１００は、その長手方向が収納本体１０の幅方向に沿うように収納される（図３）。次いで、収納本体１０を、幅規制部１６を内包するように、かつ挟板２４を挟み込んで半折りにし（図５）、ベルト固定具３０で固定する。このように、収納本体１０が長さ方向に半折りされると、収納本体１０内で折畳シート１００が中央部分１０２に沿って半折りされる。
その後、カバー２６を面２８側へと垂らし（図１）、肩掛けベルト１２により背負うことによりシート１００を運搬することができる。
【００３４】
運搬時の折畳シート１００は、幅規制部１６により収納本体１０の幅方向へのずれが規制されている。
また、収納本体１０を半折りして折畳シート１００が半折りにされていることで、半折りしていない場合に比べて収納本体１０の長さ方向へのずれが抑制されている。つまり、シートを半折りせずに背負う運搬用具の場合、運搬用具を背負ったときの力は、収納されているシートの底の部分で運搬用具からシートに伝わる。そのため、シートの重心部分には直接力が加わっておらず、重力及び運搬における振動等により該シートが底の方にずれて偏ってしまい、シートが型崩れしてしまう。
【００３５】
これに対し、折畳シート１００を半折りにした状態で背負う本発明のシート用運搬具では、幅規制部１６により、折畳シート１００を背負う力が折畳シート１００の折り返し部分（収納本体１０の折り返し部２２に位置する部分）にも加わる。折畳シート１００の重心は半折りした折り返し部分にあり、本発明のシート用運搬用具では折畳シート１００の重心部分に力を加えることができることから、型崩れを抑制して運搬することができる。
【００３６】
さらに、挟板２４を用い、収納本体１０の折り返し部２２に一端２４ａを接触させ、折畳シート１００が挟板２４に掛けられた状態とすることで、該挟板２４により折畳シート１００の重心により的確に上向きの力を加えることができる。これにより、シート１００が収納本体１０内でバランスが取れた状態でより安定に固定されるため、型崩れさせずに運搬することがより容易になる。
また、ガゼット折りにした折畳シート１００は、端縁１０１及び中間部分１０３が揃えられた中央部分１０２が他の部分よりも薄くなっているために、中央部分１０２に沿って半折りにしやすい。また、その中央部分１０２に沿って挟板２４の一端２４ａを接触させることができるため、運搬時の収納本体１０内のシート１００がより安定に固定される。
【００３７】
運搬後は、カバー２６を背負い面２０の下に敷いた状態で収納本体１０を開き、開口１８からシート１００を取り出す（図４）。このとき、シート１００を前述のように折り畳んでおくことにより、シート１００の長手方向の端縁から容易にシート１００を幅方向に引き出すように取り出すことができる。また、長尺の帯状のシートであっても使用する分だけ引き出すことができるため、使用後に未使用部分を再収納することも容易である。
例えば、松くい虫燻蒸シートにより松くい虫の燻蒸駆除を行なう場合は、伐倒現場において伐倒材を覆うのに用いる分だけシート１００を引き出して切断し、未使用部分を再収納できるため、シートの取り扱い性に優れ、効率良く燻蒸駆除を行うことができる。
【００３８】
以上説明した本発明のシート用運搬用具及びシート運搬品は、燻蒸シート等の大きなサイズのシートであっても容易に運搬することができ、かつ収納したシートの取り扱い性にも優れている。
尚、本発明のシート用運搬用具は、図１〜５に例示したシート用運搬用具１には限定されない。例えば、挟板２４は収納本体の面２８側の長さ方向の端部に設けられていてもよい。
また、挟板２４が収納本体１０の幅方向の端部に設けられているシート用運搬用具２（図６）であってもよい。シート用運搬用具２における挟板２４は、一端２４ｂが収納本体１０の折り返し部２２に接触するように設けられており、運搬時にシート１００を収納した収納本体１０が挟板２４に掛けられた状態にとなる。ただし、運搬時やシートの出し入れの際にシート用運搬用具を置いたときに、開口１８の長さ方向の端の部分から収納本体内に土等が入ってシートが汚れることを防ぎ易い点から、挟板２４は収納本体１０の長さ方向の端部に設けられていることが好ましい。
【００３９】
また、収納するシートはガゼット折りしたものには限定されない。例えば、運搬するシートの短手方向の長さによっては、シートの短手方向の両側のそれぞれの端縁を、該シートを短手方向に二等分する中央部分に向かって折り返して揃え、それを長手方向に蛇腹状に折り畳んだものであってもよい。また、収納本体１０と同形状のシートを複数枚積層したものを収納して運搬してもよい。
収納するシートとしては、本発明における収納本体が容易に半折りにできるシートの運搬に適しているため、前述のように方法で折り畳まれていることが好ましい。
【産業上の利用可能性】
【００４０】
本発明のシート用運搬用具及びシート運搬品は、松くい虫燻蒸シート等の大きなサイズのシートであっても容易に運搬することができ、かつ収納しているシートの取り扱い性にも優れているため、様々なシートの運搬用具として好適に使用できる。
【図面の簡単な説明】
【００４１】
【図１】本発明のシート用運搬用具の実施形態の一例を示した斜視図である。
【図２】図１のシート用運搬用具の開かれている様子を示した斜視図である。
【図３】図２のシート用運搬用具にシートが収納された様子を示した斜視図である。
【図４】本発明のシート用運搬用具からシートを取り出す様子を示した斜視図である。
【図５】本発明のシート用運搬用具の収納本体を半折りにしている様子を示した斜視図である。
【図６】本発明のシート用運搬用具の他の実施形態例を示した斜視図である。
【符号の説明】
【００４２】
１  シート用運搬用具  ２  シート用運搬用具  １０  収納本体  １２  肩掛けベルト  １４  背面部  １４ａ  背面部の幅方向の両端  １６  幅規制部  １６ａ、１６ｂ  幅規制部の長さ方向の端部  ２０  背負い面  ２２  折り返し部  ２４  挟板
【図１】
2010023892.tif 000003
【図２】
2010023892.tif 000004
【図３】
2010023892.tif 000005
【図４】
2010023892.tif 000006
【図５】
2010023892.tif 000007
【図６】
2010023892.tif 000008